(57)【要約】【課題】省電力化を図ると共に、快適性を損なわない空気調和システムを得る。【解決手段】室内空間１に設置され空気調和システムをコントロールするリモコン５と、室内機２の室内空気吸い込み口付近に取り付けられた室内温度センサ２ａと、を有し、室内温度を検知して室内空間１が設定温度になるように制御される空気調和システムにおいて、室内空間１に対する室外温度が高くなるに連れて設定温度が高くなるような設定温度パターンとする。【選択図】  図１
2005037021.tif 000002
【特許請求の範囲】
【請求項１】
室内空間を冷房または暖房する空気調和システムにおいて、外気温度が高いほど前記室内空間の温度が高くなるように制御する制御手段を設けたことを特徴とする空気調和システム。
【請求項２】
室内空間に設置され空気調和システムをコントロールするリモコンと、室内機の室内空気吸い込み口付近に取り付けられた室内温度センサと、を有し、室内温度を検知して室内空間が設定温度になるように制御される空気調和システムにおいて、
前記室内空間に対する室外温度が高くなるに連れて前記設定温度が高くなるような設定温度パターンとすることを特徴とする空気調和システム。
【請求項３】
請求項２記載のものにおいて、複数の前記設定温度パターンと、該複数の前記設定温度パターンのうちいずれかを選択する選択手段と、を備えたことを特徴とする空気調和システム。
【請求項４】
請求項１から３のいずれかに記載のものにおいて、前記室内空間の窓面から室内に入る日射量または輻射熱量を検知する検知手段を設け、前記検知手段で検知した値に関連して前記設定温度を補正することを特徴とする空気調和システム。
【請求項５】
室内温度を検知する室内温度センサと、室外温度を検知する室外温度センサと、を備え、設定温度となるように運転制御される空気調和システムにおいて、
前記室外温度と前記室内温度との差に関連して前記設定温度を定めて前記運転制御が行われることを特徴とする空気調和システム。
【発明の詳細な説明】
【０００１】
【発明の属する技術分野】
本発明は、室内空間に設けられた空気調和システムに関し、温度変化の急変を緩和できると共に、省電力化が図れるものに好適である。
【０００２】
【従来の技術】
従来、外気温度に関連付けられた自動設定温度を室内に在室しているユーザの設定温度変更操作の情報を学習して修正すると共に、自動設定温度を外気温度が高いほど低く設定することが知られ、例えば特許文献１に記載されている。
【０００３】
また、在室人数によって設定温度を変更し、日射量が多いときは設定温度を低めにし、外気温度が高いときは設定温度を低めにすることが、例えば特許文献２に記載されている。
【０００４】
【特許文献１】特開平１０−２７８５３９号公報
【特許文献２】特開２０００−８８３１６号公報
【発明が解決しようとする課題】
上記特許文献１のものは、特定ユーザの快適性を実現できるが、スーパーマーケットやコンビニエンスストアなどの不特定多数の快適性については考慮されていない。また、設定温度は外気温度が高いほど低く設定されているので消費電力は増加する。
さらに、特許文献２のものは、室内に在室する人数によって設定温度を変えるとともに、在室者がいなくなったら空気調和システムの設定温度を消費電力が最小になるような設定温度に変更するので、在室者がいるときにその人数によって設定温度を変えると、快適性や省電力性が損なわれる恐れがある。
【０００５】
さらにいずれの従来技術においても、外気温度が高いほど室内の設定温度を低く設定しているので室内温度と外気温度との温度差が大きくなり、室内空間への出入りをするとき温度が急変して不快に感じることがある。
【０００６】
本発明の目的は、上記従来技術の課題を解決し、省電力化を図ると共に、快適性を損なわない空気調和システムを提供することにある。
【０００７】
【課題を解決するための手段】
上記課題を解決するために、本発明は、室内空間を冷房または暖房する空気調和システムにおいて、外気温度が高いほど前記室内空間の温度が高くなるように制御する制御手段を設けたものである。
【０００８】
また、本発明は、室内空間に設置され空気調和システムをコントロールするリモコンと、室内機の室内空気吸い込み口付近に取り付けられた室内温度センサと、を有し、室内温度を検知して室内空間が設定温度になるように制御される空気調和システムにおいて、室内空間に対する室外温度が高くなるに連れて設定温度が高くなるような設定温度パターンとするものである。
【０００９】
さらに、上記のものにおいて、複数の設定温度パターンと、該複数の設定温度パターンのうちいずれかを選択する選択手段と、を備えたことが望ましい。
さらに、上記のものにおいて、室内空間の窓面から室内に入る日射量または輻射熱量を検知する検知手段を設け、検知手段で検知した値に関連して設定温度を補正することが望ましい。
【００１０】
さらに、本発明は、室内温度を検知する室内温度センサと、室外温度を検知する室外温度センサと、を備え、設定温度となるように運転制御される空気調和システムにおいて、室外温度と室内温度との差に関連して設定温度を定めて運転制御が行われるものである。
【００１１】
【発明の実施の形態】
以下、本発明の実施の形態について図を用いて説明する。
図１は、本発明の一実施形態を示し、店舗内部を示した室内空間１で、左側壁には大きな窓６を備えている。室内空間１には天井に照明装置１１が設置され、フロアには商品棚１２，１３や冷蔵ショーケース１４などが設置されている。また空気調和システム１０の室内機２が天井付近に設置されている。室内機２は冷媒配管４によって空気調和システム１０の室外機３と接続されている。室内空間１には空気調和システム１０のリモコン５が設置されており空気調和システム１０をコントロールしている。室内機２の室内空気吸い込み口付近には室内温度センサ２ａが取り付けられており室内温度を検知し、設定温度になるように制御されている。室外機３には室外温度を検知する室外温度センサ３ａと切り換えスイッチ３ｂが取り付けられている。また天井付近には窓６の輻射熱量が検知できる昼光センサ７が取り付けられている。
【００１２】
スーパーマーケットやコンビニエンスストアなどの不特定多数の人間が頻繁に出入りする場所では、室外温度と室内温度の差が大きいと体感温度が急変して不快に感じることがある。また室外温度と室内温度との差が大きくなると空気調和機の消費電力が増加する。そこで、室外温度と室内温度との差に関連して運転制御が行われるようにする。具体的には、室外温度（外気温度）に関連して、つまり外気温度が高いほど室内温度が高くなるようにし、その室外温度と冷房又は暖房設定温度の変化を次のような設定温度パターンとする。
【００１３】
空気調和システム１０の設定温度の一例を図２および図３で説明する。
図２は冷房設定温度を示し、室外温度が２８℃未満で設定温度を２６℃、室外温度が２８℃以上かつ３２℃未満で設定温度を２７℃、室外温度が３２℃以上で設定温度を２８℃と、外気温度が高いほど設定温度を高くする。
図３は暖房設定温度を示し、室外温度が７℃未満で設定温度を１９℃、室外温度が７℃以上かつ１５℃未満で設定温度を２１℃、室外温度が１５℃以上で設定温度を２２℃と、外気温度が高いほど設定温度を高くしている。
【００１４】
図４、図５および図６は、他の実施の形態を示し、図４は冷房設定温度を示している。設定温度のパターン１は前述の図２設定温度と同様である。設定温度のパターン２は設定温度パターン１に対して、１℃下げたものである。
図５は暖房設定温度を示し、設定温度のパターン１は前述の図３設定温度と同様である。設定温度のパターン２は設定温度パターン１に対して、１℃下げたものである。
図４および図５の設定温度パターンの選択は図６に示すように室外機３に設けられた切り換えスイッチ３ｂによって行う。冷房および暖房とも設定温度パターン１の場合は切り換えスイッチ３ｂのＡスイッチおよびＢスイッチをオンにする。冷房設定温度をパターン１で暖房設定温度をパターン２の場合はＡスイッチをオン、Ｂスイッチをオフにする。冷房設定温度をパターン２で暖房設定温度をパターン１の場合はＡスイッチをオフ、Ｂスイッチをオンにする。冷房および暖房とも設定温度パターン２の場合はＡスイッチおよびＢスイッチをオフにする。
【００１５】
図７および図８は、さらに他の実施形態を示し、図７および図８に示す設定温度パターンは図１に示す窓６の輻射熱量を検知する昼光センサ７によって日射があるかないかを判断して切り換える。つまり、輻射熱が多い場合は暖かく感じるので、輻射熱を検知して輻射熱が多い場合は空気調和システムの設定温度を下げる。図７は冷房設定温度を示し、設定温度パターンの日射なしは図２の設定温度と同様である。図中の設定温度パターンの日射ありは日射なしの設定温度パターンに対して、１℃下げたものである。
図８は暖房設定温度を示し、設定温度パターンの日射なしは図３の設定温度と同様である。図中の設定温度パターンの日射ありは日射なしの設定温度パターンに対して、１℃下げたものである。
【００１６】
室内空間１のある特定の設定温度はリモコン５によって設定することが一般的であり、ユーザによっては前述したような設定温度パターンではなく、リモコンで設定した温度を採用したい場合もある。このような場合の設定温度パターンとリモコン設定との切り換え方法を図９で説明する。
【００１７】
設定温度パターンとリモコン設定との切り換えは図９に示すように室外機３に設けられた切り換えスイッチ３ｂによって行う。冷房および暖房とも設定温度パターンを採用する場合は切り換えスイッチ３ｂのＡスイッチおよびＢスイッチをオンにする。冷房を設定温度パターンで暖房の設定温度をリモコン設定にする場合はＡスイッチをオン、Ｂスイッチをオフにする。冷房の設定温度をリモコン設定で暖房を設定温度パターンにする場合はＡスイッチをオフ、Ｂスイッチをオンにする。冷房および暖房とも設定温度をリモコン設定にするの場合はＡスイッチおよびＢスイッチをオフにする。このように設定温度を切り換えることによってより木目細かくユーザの要望にそった空気調和システムとすることができる。
【００１８】
図１０は冷房室内温度を２５℃で暖房室内温度を２２℃で運転した場合の空気調和機の年間消費電力量と図２および図３の設定温度パターンで運転した場合ならびに図７および図８の日射を考慮した設定温度パターンで運転した場合の空気調和機の年間消費電力量を計算比較したものである。図１０に示すように冷房室内温度を２５℃で暖房室内温度を２２℃で運転した場合に比べて、図２および図３の設定温度パターンで運転した場合は１６．９％、図７および図８の設定温度パターンで運転した場合は１６．０％の省電力効果が得られる。
【００１９】
以上、設定温度パターンを複数持ち切り換えできることによって地域などの環境変化を考慮した空気調和を提供できる。さらに室内空間への輻射熱量を考慮した設定温度パターンで空気調和システムを制御することによって快適性が向上する。
【００２０】
【発明の効果】
以上説明したように、本発明によれば、室外温度が高いほど室内温度が高くなるように空気調和システムを制御することによって、室外から室内に入ったときや室内から室外へ出たときの温度変化の急変が緩和でき快適性が得られるとともに空気調和システムの省電力化が図れる。
【図面の簡単な説明】
【図１】本発明の一実施の形態を示す室内空間の配置図。
【図２】一実施の形態による冷房設定温度パターン図。
【図３】一実施の形態による暖房設定温度パターン図。
【図４】一実施の形態による冷房設定温度パターン図。
【図５】他の実施の形態を示す暖房設定温度パターン図。
【図６】一実施の形態の設定温度パターンを切り換える切り換えスイッチ説明図。
【図７】さらに他の実施の形態を示す冷房設定温度パターン図。
【図８】さらに他の実施の形態を示す暖房房設定温度パターン図。
【図９】他の実施の形態による温度設定切り換えの切り換えスイッチ説明図。
【図１０】本発明による一実施の形態の省電力効果を示す比較図。
【符号の説明】
１…室内空間、２…室内機、２ａ…室内温度センサ、３…室外機、３ａ…室外温度センサ、３ｂ…切り換えスイッチ、４…冷媒配管、５…リモコン、６…窓、７…昼光センサ、１０…空気調和システム、１１…照明装置、１２、１３…商品棚、１４…冷蔵ショーケース。
【図１】
2005037021.tif 000003
【図２】
2005037021.tif 000004
【図３】
2005037021.tif 000005
【図４】
2005037021.tif 000006
【図５】
2005037021.tif 000007
【図６】
2005037021.tif 000008
【図７】
2005037021.tif 000009
【図８】
2005037021.tif 000010
【図９】
2005037021.tif 000011
【図１０】
2005037021.tif 000012